(57)【要約】多層光ソースディスク（２Ｓ）から多層光ターゲットディスク（２Ｔ）に情報をコピーする方法について記載している。ソースデータの第１部分（６７）は第１ソース記憶空間（Ｌｓ０）に位置し、ソースデータの第１部分（６８）は第２ソース記憶空間（Ｌｓ１）に位置している。第１ソースデータ部分は、第１ターゲット記憶空間（Ｌｔ０）の物理最終アドレス（Ｎｔ）より小さい論理最終アドレス（Ｍ）を有する。第１ソース記憶空間からのソースセル全ては第１ターゲット記憶空間の第１ターゲットデータ部分（７７）に記録される。第１ターゲット記憶空間の残り部分（７４）はダミーデータ部分として規定される。次いで、第２ソースデータ部分（６８）からのセルは第２ターゲット記憶空間（Ｌｔ１）の第２ターゲットデータ部分（７８）に記録される。
2008542971.tif 000002
【特許請求の範囲】
【請求項１】
多層光ターゲットディスクに情報を記録する方法であって：
前記多層光ターゲットディスクは、隣接する記憶層において少なくとも第１ターゲット記憶空間及び第２ターゲット記憶空間を有し、各々の記憶空間は物理記憶アドレスを有する物理記憶位置を有し；
記録するときに、先ず、前記第１ターゲット記憶空間は第１ターゲット記憶空間の最終の物理記憶アドレスまで書き込まれ、次に、前記記録の処理は、前記第２ターゲット記憶空間の第１物理記憶アドレスへの遷移を行い；
記録されるデータはソース記憶媒体からコピーされ；
前記ソース記憶媒体は多層光ソースディスクであり、該多層光ソースディスクは、隣接する記憶層において少なくとも第１ソース記憶空間及び第２ソース記憶空間を有し、各々のソース記憶空間は記憶アドレスを有する記憶位置を有し；
前記のコピーされるデータはセルにおいて編成され、各々のセルは特定のデータ量に対応し；
前記ソースデータのセルの第１部分は前記ソースディスクの前記第１ソース記憶空間に位置付けられ、前記ソースデータのセルの第２部分は前記ソースディスクの前記第２ソース記憶空間に位置付けられ；
前記第１ソースデータ部分は、前記ターゲットディスクの第１ターゲット記憶空間の前記最後の物理記憶アドレスより小さい論理最終アドレスを有し；
前記第２ソースデータ部分は論理開始アドレス及び論理最終アドレスを有し；
前記記録する方法は：
前記ソースディスクの前記第１ソース記憶空間からソースセル全てを読み出す段階；及び
前記ターゲットディスクの前記第１ターゲット記憶空間の第１ターゲットデータ部分に前記セルを記録する段階；
を有し；
前記記録する方法は：
ダミーデータ部分として前記ターゲットディスクの前記第１ターゲット記憶空間の残り部分を規定し、次いで、前記ターゲットディスクの前記第２ターゲット記憶空間の第２ターゲットデータ部分に前記第２ソースデータ部分からセルを書き込む段階；
を更に有する方法。
【請求項２】
請求項１に記載の方法であって、ダミーデータは、物理最終アドレス（Ｎｔ）に対する最後の記録セルの後に、最初の物理アドレス（Ｍ＋１）から前記ターゲットディスクの前記第１ターゲット記憶空間の前記残り部分において書き込まれる、方法。
【請求項３】
請求項１に記載の方法であって、前記第２ソースデータ部分からの前記セルの記録は、前記ターゲットディスクの前記第２ターゲット記憶空間における最初の物理アドレス（Ｎｔ＋１）から開始し、それ故、論理ソースアドレス（ｉ）から読み出されるデータは論理ターゲットアドレス（ｉ＋（Ｎｔ−Ｍ））において記録される、方法。
【請求項４】
請求項１に記載の方法であって：
前記ターゲットディスクの前記第２ターゲット記憶空間の第１部分は、前記第２ターゲット記憶空間の前記最初の物理アドレス（Ｎｔ＋１）から物理第２ダミー部分最終アドレス（Ｎｔ＋Ａ）への第２ダミーデータ部分として規定され；
前記第２ソースデータ部分から前記セルを記録する段階は、前記物理第２ダミー部分最終アドレス（Ｎｔ＋Ａ）の後に最初の物理アドレス（Ｎｔ＋Ａ＋１）から開始される；
方法。
【請求項５】
請求項４に記載の方法であって、Ａは実質的にＮｔ−Ｍに等しく、それ故、前記第２ターゲットデータ部分における最初のセルの開始は実質的に前記第１ターゲットデータ部分における最後のセルの最終とアライメントされる、方法。
【請求項６】
請求項４に記載の方法であって、Ａは実質的にＮｔ−Ｘ＋１に等しく、それ故、前記第２ターゲットデータ部分における最終は実質的に前記第１ターゲットデータ部分の開始とアライメントされる、方法。
【請求項７】
多層光ターゲットディスクに情報を記録する方法であって：
前記多層光ターゲットディスクは、隣接する記憶層において少なくとも第１ターゲット記憶空間及び第２ターゲット記憶空間を有し、各々の記憶空間は物理記憶アドレスを有する物理記憶位置を有し；
記録するときに、先ず、前記第１ターゲット記憶空間は第１ターゲット記憶空間の最終の物理記憶アドレスまで書き込まれ、次に、前記記録の処理は、前記第２ターゲット記憶空間の第１物理記憶アドレスへの遷移を行い；
記録されるデータはソース記憶媒体からコピーされ；
前記ソース記憶媒体は多層光ソースディスクであり、該多層光ソースディスクは、隣接する記憶層において少なくとも第１ソース記憶空間及び第２ソース記憶空間を有し、各々のソース記憶空間は記憶アドレスを有する記憶位置を有し；
前記のコピーされるデータはセルにおいて編成され、各々のセルは特定のデータ量に対応し；
前記ソースデータのセルの第１部分は前記ソースディスクの前記第１ソース記憶空間に位置付けられ、前記ソースデータのセルの第２部分は前記ソースディスクの前記第２ソース記憶空間に位置付けられ；
前記第１ソースデータ部分は、前記ターゲットディスクの第１ターゲット記憶空間の前記最後の物理記憶アドレスより小さい論理最終アドレスを有し；
前記第２ソースデータ部分は論理開始アドレス及び論理最終アドレスを有し；
前記記録する方法は：
前記第２ソースデータ部分からソースセルを読み出し、前記ターゲットディスクの前記第１ターゲット記憶空間の第２ターゲットデータ部分に前記セルを記録する段階；
ダミーデータ部分として前記ターゲットディスクの前記第１ターゲット記憶空間の前記残り部分を規定する段階；及び
前記ターゲットディスクの前記第２ターゲット記憶部分の第３ターゲットデータ部分に前記第２ソースデータ部分の前記残り部分からセルを書き込む段階；
を更に有する、方法。
【請求項８】
請求項７に記載の方法であって、ダミーデータは、物理最終アドレス（Ｎｔ）に対する最後の記録セルの後に、最初の物理アドレス（Ｍ＋Ｙ＋１）から前記ターゲットディスク（２Ｔ）の前記第１ターゲット記憶空間の前記残り部分において書き込まれる、方法。
【請求項９】
請求項７に記載の方法であって、前記第２ソースデータ部分の前記残り部分からの前記セルの記録は、前記ターゲットディスク（２Ｔ）の前記第２ターゲット記憶空間における最初の物理アドレス（Ｎｔ＋１）から開始される、方法。
【請求項１０】
請求項７に記載の方法であって：
前記ターゲットディスクの前記第２ターゲット記憶空間の第１部分は、前記第２ターゲット記憶空間の最初の物理アドレス（Ｎｔ＋１）から物理第２ダミー部分最終アドレス（Ｎｔ＋Ａ）への第２ダミーデータ部分として規定され；
前記第２ソースデータ部分の前記残り部分から前記セルを記録する段階は、前記物理第２ダミー部分最終アドレス（Ｎｔ＋Ａ）の後に最初の物理アドレス（Ｎｔ＋Ａ＋１）から開始される；
方法。
【請求項１１】
請求項１０に記載の方法であって、前記第２ダミーデータ部分のサイズは実質的に前記第１ダミーデータ部分のサイズに等しく、それ故、前記第３ターゲットデータ部分における最初のセルの開始は、実質的に前記第２ターゲットデータ部分における最後のセルの最終とアライメントされる、方法。
【請求項１２】
請求項１０に記載の方法であって、前記第２ダミーデータ部分の前記サイズは実質的に前記第１ダミーデータ部分のサイズに等しく、それ故、前記第３ターゲットデータ部分の最終は、実質的に前記第１ターゲットデータ部分の開始とアライメントされる、方法。
【請求項１３】
請求項７に記載の方法であって、前記第２ソースデータ部分からソースセルを読み出し、前記第２ターゲットデータ部分に前記セルを記録する前記段階は、前記第１ターゲット記憶空間の前記残り部分の容量より大きいサイズを有するセルに達するまで続けられる、方法。
【請求項１４】
多層光ターゲットディスクに情報を記録する方法であって：
前記多層光ターゲットディスクは、隣接する記憶層において少なくとも第１ターゲット記憶空間及び第２ターゲット記憶空間を有し、各々の記憶空間は物理記憶アドレスを有する物理記憶位置を有し；
記録するときに、先ず、前記第１ターゲット記憶空間は該第１ターゲット記憶空間の最終の物理記憶アドレスまで書き込まれ、次に、前記記録の処理は、前記第２ターゲット記憶空間の第１物理記憶アドレスへの遷移を行い；
記録されるデータはソース記憶媒体からコピーされ；
前記ソース記憶媒体は多層光ソースディスクであり、該多層光ソースディスクは、隣接する記憶層において少なくとも第１ソース記憶空間及び第２ソース記憶空間を有し、各々のソース記憶空間は記憶アドレスを有する記憶位置を有し；
前記のコピーされるデータはセルにおいて編成され、各々のセルは特定のデータ量に対応し；
前記ソースデータのセルの第１部分は前記ソースディスクの前記第１ソース記憶空間に位置付けられ、前記ソースデータのセルの第２部分は前記ソースディスクの前記第２ソース記憶空間に位置付けられ；
前記第１ソースデータ部分は、前記ターゲットディスクの第１ターゲット記憶空間の前記最後の物理記憶アドレスより小さい論理最終アドレスを有し；
前記第２ソースデータ部分は論理開始アドレス及び論理最終アドレスを有し；
前記記録する方法は：
前記第１ターゲット記憶空間の前記残り部分の容量より大きいサイズを有する次のセルに達するまで、前記第２ソースデータ部分からソースセルを読み出し、前記ターゲットディスクの前記第１ターゲット記憶空間の第２ターゲットデータ部分に前記セルを記録する段階；
前記次のセルのコンテンツを第１セル部分及び第２セル部分に分割する段階であって、前記第１セル部分の長さは前記第１ターゲット記憶空間の前記残り部分の前記容量に等しく設定される、段階；
前記第１セル部分を前記第１ターゲット記憶空間に記録する段階；
前記第２セル部分を前記第２ターゲット記憶空間に記録し、前記第２ターゲット記憶空間における前記最初の物理アドレスから開始する段階；並びに
前記第２ソースデータ部分の前記残り部分から前記ターゲットディスクの前記第２ターゲット記憶空間の第３ターゲットデータ部分に書き込む段階；
を有する、方法。
【請求項１５】
請求項１４に記載の方法であって、前記第１セル部分のデータは１つのセルとして規定され、前記第２セル部分のデータは１つのセルとして規定される、方法。
【請求項１６】
請求項１４に記載の方法であって、前記第１セル部分のデータは前のセルのデータと結合され、該結合されたデータは１つのセルとして規定される、方法。
【請求項１７】
請求項１４に記載の方法であって、前記第２セル部分のデータは前のセルのデータと結合され、該結合されたデータは１つのセルとして規定される、方法。
【請求項１８】
多層光ターゲットディスクに情報を記録する方法であって：
前記多層光ターゲットディスクは、隣接する記憶層において少なくとも第１ターゲット記憶空間及び第２ターゲット記憶空間を有し、各々の記憶空間は物理記憶アドレスを有する物理記憶位置を有し；
記録するときに、先ず、前記第１ターゲット記憶空間は第１ターゲット記憶空間の最終の物理記憶アドレスまで書き込まれ、次に、前記記録の処理は、前記第２ターゲット記憶空間の第１物理記憶アドレスへの遷移を行い；
記録されるデータはソース記憶媒体からコピーされ；
前記ソース記憶媒体は、例えば、ハードディスクのような単独の空間媒体であり；
前記のコピーされるデータはセルにおいて編成され、各々のセルは特定のデータ量に対応し；
前記記録する方法は：
前記第１ターゲット記憶空間の前記残り部分の容量より大きいサイズを有する次のセルに達するまで、前記ソース記憶媒体からソースセルを読み出し、前記ターゲットディスクの前記第１ターゲット記憶空間に前記セルを記録する段階；
前記ターゲットディスクの前記第１ターゲット記憶空間の前記残り部分をダミーデータ部分として規定する段階；
前記ターゲットディスクの前記第２ターゲット記憶空間に前記残りソースセルを書き込む段階；
を有する、方法。
【請求項１９】
請求項１８に記載の方法であって、ダミーデータは、物理最終アドレス（Ｎｔ）に対する最後の記録セルの後に、最初の物理アドレスから前記ターゲットディスクの前記第１ターゲット記憶空間の前記残り部分において書き込まれる、方法。
【請求項２０】
請求項１８に記載の方法であって、前記残りソースセルの記録は、前記ターゲットディスクの前記第２ターゲット記憶空間における最初の物理アドレス（Ｎｔ＋１）から開始される、方法。
【請求項２１】
請求項１８に記載の方法であって：
前記ターゲットディスクの前記第２ターゲット記憶空間の第１部分は、前記第２ターゲット記憶空間の最初の物理アドレス（Ｎｔ＋１）から物理第２ダミー部分最終アドレス（Ｎｔ＋Ａ）への第２ダミーデータ部分として規定され；
前記残りソースセルを記録する段階は、前記物理第２ダミー部分最終アドレス（Ｎｔ＋Ａ）の後に最初の物理アドレス（Ｎｔ＋Ａ＋１）から開始される；
方法。
【請求項２２】
請求項２１に記載の方法であって、前記第２ダミーデータ部分の前記サイズは実質的に前記第１ダミーデータ部分のサイズに等しく、それ故、前記第２ターゲット記憶空間における最初のセルの開始は、実質的に前記第１ターゲットデータ記憶空間における最後のセルの最終とアライメントされる、方法。
【請求項２３】
多層光ターゲットディスクに情報を記録する方法であって：
前記多層光ターゲットディスクは、隣接する記憶層において少なくとも第１ターゲット記憶空間及び第２ターゲット記憶空間を有し、各々の記憶空間は物理記憶アドレスを有する物理記憶位置を有し；
記録するときに、先ず、前記第１ターゲット記憶空間は該第１ターゲット記憶空間の最終の物理記憶アドレスまで書き込まれ、次に、前記記録の処理は、前記第２ターゲット記憶空間の第１物理記憶アドレスへの遷移を行い；
記録されるデータはソース記憶媒体からコピーされ；
前記ソース記憶媒体は、例えば、ハードディスクのような多層光ソースディスクであり、該多層光ソースディスクは、隣接する記憶層において少なくとも第１ソース記憶空間及び第２ソース記憶空間を有し、各々のソース記憶空間は記憶アドレスを有する記憶位置を有し；
前記のコピーされるデータはセルにおいて編成され、各々のセルは特定のデータ量に対応し；
前記ソースデータのセルの第１部分は前記ソースディスクの前記第１ソース記憶空間に位置付けられ、前記ソースデータのセルの第２部分は前記ソースディスクの前記第２ソース記憶空間に位置付けられ；
前記第１ソースデータ部分は、前記ターゲットディスクの第１ターゲット記憶空間の前記最後の物理記憶アドレスより小さい論理最終アドレスを有し；
前記第２ソースデータ部分は論理開始アドレス及び論理最終アドレスを有し；
前記記録する方法は：
前記第１ターゲット記憶空間の前記残り部分の容量より大きいサイズを有する次のセルに達するまで、前記ソース記憶媒体からソースセルを読み出し、前記ターゲットディスクの前記第１ターゲット記憶空間に前記セルを記録する段階；
前記次のセルのコンテンツを第１セル部分及び第２セル部分に分割する段階であって、前記第１セル部分の長さは前記第１ターゲット記憶空間の前記残り部分の前記容量に等しく設定される、段階；
前記第１セル部分を前記第１ターゲット記憶空間に記録する段階；
前記第２セル部分を前記第２ターゲット記憶空間に記録し、前記第２ターゲット記憶空間における前記最初の物理アドレスから開始する段階；並びに
前記ターゲットディスクの前記第２ターゲット記憶空間に前記残りソースセルを書き込む段階；
を有する、方法。
【請求項２４】
請求項２３に記載の方法であって、前記第１セル部分のデータは１つのセルとして規定され、前記第２セル部分のデータは１つのセルとして規定される、方法。
【請求項２５】
請求項２３に記載の方法であって、前記第１セル部分のデータは前のセルのデータと結合され、該結合されたデータは１つのセルとして規定される、方法。
【請求項２６】
請求項２３に記載の方法であって、前記第２セル部分のデータは前のセルのデータと結合され、該結合されたデータは１つのセルとして規定される、方法。
【請求項２７】
請求項１乃至２６の何れか一項に記載の方法を実行するためにデザインされたホスト装置。
【請求項２８】
隣接する記憶層において第１記憶空間及び第２記憶空間を有する多層ＤＶＤ−ＲＷディスクであって：
該多層ＤＶＤ−ＲＷディスクは記録を有し、第１記録部分が前記第１記憶空間に位置付けられる一方、後続の第２記録部分が前記第２記憶空間に位置付けられルセルとしてデータがグループ化され；
前記第１記録部分は、前記第１記憶空間の物理終了アドレスより小さい論理終了アドレスを有し；そして
前記第１記録部分の終了から前記第１記憶空間の終了までの前記第１記憶空間の残り部分はダミーデータ部分として規定される；
多層ＤＶＤ−ＲＷディスク。
【請求項２９】
請求項２８に記載の多層ＤＶＤ−ＲＷディスクであって、前記残り部分はダミーデータを有する、多層ＤＶＤ−ＲＷディスク。
【請求項３０】
請求項２８に記載の多層ＤＶＤ−ＲＷディスクであって、前記第２記録部分は、前記第２記憶空間の開始とアライメントされる開始を有する、多層ＤＶＤ−ＲＷディスク。
【請求項３１】
請求項２８に記載の多層ＤＶＤ−ＲＷディスクであって、前記第２記録部分は、前記第１記録部分の前記終了と実質的にアライメントされる開始を有する、多層ＤＶＤ−ＲＷディスク。
【請求項３２】
請求項２８に記載の多層ＤＶＤ−ＲＷディスクであって、前記第２記録部分は、前記第１記録部分の前記開始と実質的にアライメントされる終了を有する、多層ＤＶＤ−ＲＷディスク。
【請求項３３】
請求項２８に記載の多層ＤＶＤ−ＲＷディスクであって、前記第１記憶空間の前記残り部分はセルのサイズより大きい、多層ＤＶＤ−ＲＷディスク。
【請求項３４】
請求項２８に記載の多層ＤＶＤ−ＲＷディスクであって、前記第１記憶空間の前記残り部分は、前記第２記録部分の最初のセルのサイズより小さい、多層ＤＶＤ−ＲＷディスク。
【請求項３５】
隣接する記憶層において第１記憶空間及び第２記憶空間を有する多層ＤＶＤ−ＲＷディスクであって：
該多層ＤＶＤ−ＲＷディスクは記録を有し、第１記録部分が前記第１記憶空間に位置付けられる一方、後続の第２記録部分が前記第２記憶空間に位置付けられルセルとしてデータがグループ化され；
前記第１記録部分における最後のセルは、前記第１記憶空間の物理終了アドレスに対応する論理終了アドレスを有する；
多層ＤＶＤ−ＲＷディスク。
【発明の詳細な説明】
【技術分野】
【０００１】
本発明は、一般に、多層の光記憶ディスクに情報を書き込むための方法及びその方法を実行するための装置に関する。
【背景技術】
【０００２】
一般に知られているように、光記憶ディスクは、連続的な螺旋か又は複数の同心円の形の少なくとも１つのトラックを有し、それらのトラックの記憶空間に、情報がデータパターンの形で記憶されることが可能である。光ディスクは非常にうまくいったものであり、幾つかの異なる種類のものが開発されてきている。１つのそのような種類にはＤＶＤ（Ｄｉｇｉｔａｌ  Ｖｅｒｓａｔｉｌｅ  Ｄｉｓｃ）があり、本発明は、特に、ＤＶＤディスクに関するものである。しかしながら、本発明の主旨はまた、他の種類のディスクに適用可能であり、それ故、以下の説明は、本発明の範囲をＤＶＤディスクのみに限定するとして理解されるべきものではない。
【０００３】
光ディスクは、ユーザにより読み出される情報のみを有する読み出し専用型であるこが可能である。光記憶ディスクはまた、情報がユーザにより記憶されることが可能である、書き込み可能型であることが可能である。そのようなディスクは、書き込み可能（Ｒ）と表される追記型であることが可能であるが、書き換え可能（ＲＷ）と表される、情報が何回も書き込まれることができる記憶ディスクがまた、存在している。ＤＶＤの場合には、２つのフォーマット、即ち、“マイナス”フォーマット（ＤＶＤ−Ｒ，ＤＶＤ−ＲＷ）及び“プラス”フォーマット（ＤＶＤ＋Ｒ，ＤＶＤ＋ＲＷ）間で区別される。
【０００４】
光記憶ディスクの記憶空間に情報を書き込むために、記憶トラックは、光書き込みビーム、代表的には、レーザビームにより走査され、そのビームの強度は、光読み出しビームにより記憶トラックを走査することにより後に読み出されることができる材料変化をもたらすように変調される。一般に、光ディスクの技術及び光ディスクに情報が記憶されることができる方法は既知であるため、ここでは、この技術について詳細に説明する必要はない。しかしながら、記憶トラックが、一意のアドレスを有する記憶場所の領域を規定することを特記しておく。
【０００５】
典型的には、光記憶システムは、記録媒体として光ディスクを有し、更に、ディスク駆動装置及びホスト装置を更に有する。ディスク駆動装置は、情報を記憶することが物理的に可能である全ての記憶ブロックにアクセスすることができるデータを実際に書き込むための光学手段を有する装置である。全てのそれらの物理記憶場所の一意のアドレスは物理アドレスと表される。ホスト装置は、適切なプログラムを実行するＰＣ又はビデオレコーダのような汎用装置のアプリケーションであることが可能であり、特定の記憶場所に特定のデータを書き込むようにディスクドライブを指令するディスクドライブに指令を送信する。ディスクドライブ装置とは対照的に、ホスト装置は、物理記憶空間の一部へのアクセスのみを有し、この一部は論理記憶空間と表され、論理記憶空間における記憶ブロックはまた、論理空間アドレスを有する。論理記憶空間は、物理的に連続的な記憶空間である必要はないが、論理記憶空間における記憶ブロックは、通常は物理アドレスと同じでない連続的な論理アドレスを有する。
【０００６】
従来、光ディスクは、記憶トラックを有する１つのみの記憶層を有するものである。最近、２つ又は更にそれ以上の記憶層を有する光ディスクが開発されてきていて、各々の記憶層は、螺旋又は複数同心円の形で記憶トラックを有する。そのような場合、論理記憶空間は複数記憶層に亘って広がり、それ故、論理アドレスの範囲は複数記憶層に亘って連続的に広がっている。１つの記憶層の最後のブロックから次の記憶層の最初のブロックへの遷移は、論理アドレスが単に１だけインクリメントするようになっている。
【０００７】
本発明は、特に、２つの記憶層を有する光ディスクに関するものである。しかしながら、本発明の主旨はまた、３つ又はそれ以上の層を有するディスクに適用可能であり、それ故、以下の説明においては、本発明を二層ディスクのみに限定するとして理解されるべきではない。
【０００８】
本発明は、少なくとも２つの記憶層が同じ側からのレーザビームにより照射される光ディスクに関することを特記しておく。そのディスクは、レーザの方に向けられている主面を有し、この主面は入射面と表される。特定の記憶層へのアクセスのために、レーザビームは入射面においてディスクに入射し、特定の記憶層に達するまで、ディスクの深さ方向に進む。特定の記憶層の選択は、対応する深さにレーザビームをフォーカシングすることを有する。下記において、入射面に対して最近接に位置付けられている記憶層は第１記憶層と表され、対応する論理空間はＬ０と表される。次の記憶層は第２記憶層と表され、対応する論理空間はＬ１と表される。それ故、二層ディスクの場合には、ディスクの全体の論理空間はＬ０＋Ｌ１である。
【０００９】
二層ディスクの場合、第１層Ｌ０は、内側の範囲から外側の範囲に広がっている。換言すれば、論理アドレスゼロは、ディスクの中心に比較的近接している特定の物理アドレス（３００００）に対応している一方、論理アドレスの増加はトラック半径の増加に対応し、それ故、最も大きい論理アドレスは、ディスクの周囲に比較的近接した半径に対応している。
【００１０】
第２層Ｌ１については、２つの可能性が存在する。１つの可能性においては、論理アドレスは、Ｌ０と同様に番号付けされる、即ち、内側のトラックの範囲から外側のトラックの範囲の方に増加する。この構成はＰＴＰ（Ｐａｒａｌｌｅｌ  Ｔｒａｃｋ  Ｐａｔｈ）と称せされる。ＯＴＰ（Ｏｐｐｏｓｉｔｅ  Ｔｒａｃｋ  Ｐａｔｈ）と称せられる、他の可能性においては、論理アドレスは、外側のトラックの範囲から内側のトラックの範囲の方に番号付けされる。
【００１１】
ディスクがＰＴＰ構成にしたがって書き込まれるとき、レーザビームは、中心から周囲の方への方向にＬ０を走査する。Ｌ１へのジャンプの後、中心から周囲への同じ方向に、Ｌ１の最も内側のトラックにおいて連続して書き込まれる。そのような場合、Ｌ１の記憶容量は、第１トラックの最後のブロックの場所には依存しない。ＯＴＰの場合は、しかしながら、Ｌ０からＬ１へのジャンプの後、周囲から中心への逆方向に、そのジャンプの場所において連続して書き込まれる。そのような場合、Ｌ１における利用可能な論理空間の大きさは、第１トラックの最後のブロックの場所に、明らかに依存する。
【００１２】
本発明は、特に、ＯＴＰ型のディスクに、即ち、互いに逆のトラック方向を有する連続記憶層の少なくとも一対を有するディスクに関する。しかしながら、本発明の主旨はまた、ＰＴＰ型のディスクに適用可能である。
【００１３】
典型的な問題は、書き込まれる情報が、ソース媒体、例えば、ハードディスク又は光ディスクからコピーされる映像情報である場合に起こり、それ故、映像データの全体の量は、第１記憶空間の容量より大きいことである。ソース媒体が基準サイズより小さい第１記憶空間Ｌ０を有するＤＶＤ＋ＲＷであるときに、特定の問題が起こる。この状況は、ＤＶＤ＋ＲＷディスクに情報を書き込む場合に、第１記憶空間Ｌ０のサイズを基準より小さい値に設定することが可能であるために起こる可能性がある。
【００１４】
書き込み中、ホストはＤＶＤ映像データを編成し、一の層から次の層への遷移はセルの境界にみにおいて可能であり、これは、ディスクから映像データを得るときに、映像画像表示の継ぎ目のない連続性を有することが好ましいことに関連している。他方、所定の論理終了アドレスに達するまで、ディスクドライブはＬ０に連続的に書き込み、終了アドレスに情報を書き込んだ後、ディスクドライブはＬ１にジャンプし、Ｌ１における次の論理アドレスに連続して書き込む（ＰＴＰの場合には内側の半径において、又はＯＴＰの場合にはＬ０の終了アドレスの半径において）。通常、Ｌ０からＬ１へのこの遷移は、映像セルの境界に対応していない。その結果、記録されているものの再生時に、表示は継ぎ目がなくはなく、表示は、遅延、フリーズ画像又は“ヒックアップ”を示す可能性があり、又は、ディスクドライブが壊れる可能性さえある。
【００１５】
ホストから映像データを受け入れるディスクドライブは、Ｌ０の終了に近づくときに、セルの境界を生成するための手段を有しない（実際には、ディスクドライブは、通常、映像情報を書き込んでいることさえ“認識して”いない）。他方、ホスト装置は、特定の物理アドレスを用いるようにディスクドライブに指令することはできず、Ｌ０の終了に達する前に、Ｌ１に遷移するようにディスクドライブに指令することはできない（Ｌ１への遷移はＬ０の終了時にのみになされる）。
【００１６】
ソース媒体からの映像データがセルにおいて既に編成されていることが可能である。その場合、ソース映像データのセル境界は第１記憶空間Ｌ０の終了とアライメントされていない可能性が高い。また、ソース媒体からの映像データはセルにおいて全く編成されていない可能性がある。
【発明の開示】
【発明が解決しようとする課題】
【００１７】
本発明の重要な目的は、上記の困難なことを克服することである。
【００１８】
特に、本発明の目的は、記憶層の最後の論理アドレスが映像セルの内側に入っていないことを確実にすることである。
【００１９】
特定の本発明の目的は、読み出すときに継ぎ目のない画像再生を支援することである。
【００２０】
本発明の特定の他の目的は、トリックプレイを改善することである。
【００２１】
上記においては、本発明の目的は、映像データを書き込む場合に映像セル境界に関連付けて説明している。しかしながら、他の理由でセルにデータを編成すること、及びＬ０からＬ１への遷移がデータセル境界に対応するようにすることは好ましいことである。
【課題を解決するための手段】
【００２２】
本発明の重要な特徴にしたがって、ホストは、目的のディスクの記憶容量とソース媒体からの映像データの量を比較することができる。映像の量が第１論理空間における（残りの）空間より大きいが、第１論理空間Ｌ０及び第２論理空間Ｌ１を合わせた全部より小さい場合、ホストは、第１論理空間Ｌ０の終了からある距離にある映像セルを終了した後に、映像データの書き込みを停止する。その場合、第１論理空間Ｌ０の終了までの残りの空間はダミーデータで満たされ、ホストは、第２論理空間Ｌ１への遷移を行う。デザインの検討に応じて、ホストは、第２論理空間Ｌ１の第１利用可能記憶場所における書き込みを開始する、又は、ホストは、第１論理空間Ｌ０における最後の映像セルの終了とアライメントされた場所で第２論理空間Ｌ１における書き込みを開始することが可能である、又は、第２論理空間Ｌ１における最後のセルの終了境界が第１論理空間Ｌ０における第１セルとアライメントされるように選択された場所で第２論理空間Ｌ１における書き込みを開始することが可能である。
【００２３】
本発明の上記の及び他の側面、特徴及び有利点について、図を参照して以下に詳述する。
【発明を実施するための最良の形態】
【００２４】
図１は、光ディスク２と、ディスクドライブ装置１０と、ホスト装置２０とを有するデータ記憶システム１を模式的に示すブロック図である。典型的な実際の実行においては、ホスト装置２０は、適切にプログラムされたパーソナルコンピュータ（ＰＣ）であることが可能である。データ記憶システム１は、ビデオレコーダのような専用のユーザの装置として実行されることがまた、可能であり、その場合、ホスト装置２０は、そのような装置のアプリケーションの一部である。特定の実施形態においては、光ディスク２は、ＤＶＤであり、特に、ＤＶＤ−Ｒである。
【００２５】
ホスト装置２０とディスクドライブ１０との間のホスト／ドライブ通信リンクは参照番号５で示されている。同様に、ディスクドライブ１０とディスク２との間のドライブ／ディスク通信リンクは参照番号６で示されている。ドライブ／ディスク通信リンク６は、ディスク２の物理アドレシング及び物理（光学）読み出し／書き込み動作を表す。ホスト／ドライブ通信リンク５は、指令搬送経路及びデータ搬送経路を表す。
【００２６】
ディスクドライブは既知であり、本発明は既知のディスクドライブを用いて実行され、それ故、ここでは、ディスクドライブ１０のデザイン及び動作について詳細に説明する必要はないことを特記しておく。
【００２７】
光ディスク２は記憶空間３を有し、その記憶空間は、２つ又はそれ以上の連続的な螺旋形状のトラック又は複数の同心円の形にあるトラックを有し、情報はデータパターンの形で記憶されることが可能である。この技術は、一般に、当業者に知られているため、この技術について更に詳細に説明しない。
【００２８】
記憶空間３の複数のトラックが、光ディスク２の異なる記憶層に位置付けられている。図２は、第１記憶層４０及び第２記憶層４１を示すディスク２の一部の模式的な断面図である。それらの２つの記憶層の間には、透明なスペーサ層４２がある。光ビームは２つの状態で、即ち、第１層４０にフォーカシングされる状態（ビーム４５）及び第２層４１にフォーカシングされる状態（ビーム４６）で示されている。ディスク２は入射面４７を有し、その入射面において、光ビーム４５、４６は透明なカバー層４３に入射する。第１記憶層４０は、第２記憶層４１より入射面４７に近い。参照番号４４はディスク２の基板を表している。
【００２９】
図２においては、入射面４７は最上部面であり、ディスクドライブの構成に応じて、入射面はまた、より下方の面であることが可能であることを特記しておく。
【００３０】
記憶層４０及び４１における記憶場所は論理アドレスを有する。それらの論理アドレスは論理空間を規定する。第１記憶層４０の論理空間はＬ０で表され、第２記憶層４１の論理空間はＬ１で表されている。図３は、長手方向のストリップとしてそれらの２つの論理空間Ｌ０及びＬ１を模式的に示す図である。第１論理空間Ｌ０は、論理アドレス０から論理終了アドレスＮまで広がり、それ故、Ｎ＋１個のアドレスの容量を有する。次の論理アドレスＮ＋１は、第２論理空間Ｌ１において、アドレスＮに略アライメントされ、ＯＴＰディスクの場合にはアドレスＮに略アライメントされていることが理解できる。第２論理空間Ｌ１は論理終了アドレスＭの方に広がっていて、第２論理空間Ｌ１のサイズが第１論理空間Ｌ０のサイズに等しい場合、Ｍ＝２Ｎ＋１である。
【００３１】
第１論理空間Ｌ０においては、論理アドレス０はディスクの中心の近くに位置付けられ、論理終了アドレスＮは、ディスク２の周囲の近くに位置付けられている。第２論理空間Ｌ１においては、ＯＴＰディスクの場合には、第１論理アドレスＮ＋１はディスク２の周囲の近くに位置付けられ、Ｌ０の論理終了アドレスＮと実質的にアライメントされていて、論理終了アドレスＭは、ディスク２の中心の近くに位置付けられている。情報が記録されるとき、ディスクドライブは論理アドレス０において開始し、矢印５１で示すように、中心から周囲への第１論理空間Ｌ０にしたがう。終了アドレスＮに書き込んだ後、矢印５２で示すように、第２論理空間Ｌ１に遷移し、次いで、矢印５３で示すように、周囲から中心への第２論理空間Ｌ１にしたがう。
【００３２】
図４は、図３より大きいスケールで２つの記憶空間Ｌ０及びＬ１の遷移を示し、また、例えば、映画に対応する映像シーケンス３０を模式的に示し、ストリップとして示されている、図３に相当する図である。図３に対する違いとしては、２つの記憶空間Ｌ０及びＬ１が互いに対して隣り合っていること、即ち、Ｌ１（アドレスＮ＋１）の開始はＬ０（アドレスＮ）の終了と隣接していることである。便宜上、Ｌ０の開始とＬ１の終了については示されていない。
【００３３】
ホスト２０は、映像記憶媒体２１（図１）から映像を受け入れ、その映像記憶媒体は、例えば、ハードディスク又は光ディスクである。ホスト２０は、セル３５を構成するように映像データを編成し、映像セル３５間のセル境界は参照番号３４で表されている。具体的には、セル境界は、前のセルの最後のアドレスと次のセルの最初のアドレスとの間の境界である。“映像セル”に関しては、ＤＶＤ映像仕様の第三部を参照する。
【００３４】
以下においては、個別のセルは、角括弧内に添字を付加することにより区別される。同様に、個別のセル境界は、角括弧内に添字を付加することにより区別される。セル境界３４［ｘ］の添え字ｘは、そのセル境界３４［ｘ］直前のセル３５［ｘ］の添え字に対応する。更に、各々のセル３５［ｘ］は長さＬ［ｘ］を有する。通常、セルは等しい長さを有するが、これは重要ではなく、例示としての実施例として、下記においては、全ての長さは基準の長さＬｓに等しいと仮定する。当業者に知られているであろうように、各々のセル３５［ｘ］は、セルの長さＬ［ｘ］及びセルの終了の論理アドレスＡ［ｘ］へのポインタを表す情報（ＮＡＶＰＡＣＫＳにおいて）を有する。この情報について、図４においてはＩＮＦＯ［ｘ］として模式的に示している。
【００３５】
本発明にしたがった、実行されないデータ記憶システムは、映像シーケンス３０を記憶するようになっていることを前提とする。ホスト装置２０は、ホスト／駆動通信リンク５においてディスクドライブ１０に映像シーケンス３０を転送し、ディスクドライブ１０は、ドライブ／ディスク通信リンク６においてディスク２に映像シーケンス３０を書き込み、映像シーケンス３０の開始は、ホスト装置２０により決定されることが可能である、又は、前の記録の後に第１利用可能ブロックであることが可能である特定の論理アドレスを有するＬ０のブロックにおいて書き込まれる。書き込みが続くにつれて、論理アドレスは増加する。図４は、第１記憶空間Ｌ０の終了に近づいていく書き込み処理を示している。ホスト２０は、終了アドレスＡ［ｉ−１］を有する完全な前の映像セル３５［ｉ−１］を書き込んでいる。第１記憶空間Ｌ０における残りの空間Ｒは、基準のセル長Ｌｓより小さく、それ故、次の映像セル３５［ｉ］は、第２記憶空間Ｌ１において位置付けられているセル終了アドレスＡ［ｉ］＝Ａ［ｉ−１］＋ＬｓにアドレスＡ［ｉ−１］＋１から広がっている。アドレスＮに到達した場合、ディスクドライブ１０は、論理アドレスＮ＋１を有する次の記憶層Ｌ１における第１利用可能ブロックへの遷移を実行する。図４において、この遷移は、映像セル３５［ｉ］におけるどこかの場所に対応し、そのことは好ましくないことが理解できる。
【００３６】
下記で、本発明について、ソースディスク２Ｓとして表される二層ＤＶＤ＋ＲＷディスクのコンテンツが、ターゲットディスク２Ｔとして表される二層ＤＶＤ−ＲＷディスクにコピーされるようになっている例示としての場合について説明する。図５Ａは、第１ソース記憶空間６１（又は、Ｌｓ０として表される）及び第２ソース記憶空間６２（又は、Ｌｓ１として表される）を有するソースＤＶＤ＋ＲＷディスクのコンテンツディスク２Ｓの記憶空間６０（又は、ソース記憶空間として表される）を模式的に示している。第１ソース記憶空間６１はＮｓ＋１個の物理アドレス（０からＮｓまで）の容量を有し、第２ソース記憶空間６２はまた、Ｎｓ＋１個の物理アドレス（Ｎｓ＋１から２Ｎｓ＋１まで）の容量を有することを前提としている。
【００３７】
ソースディスク２Ｓは、両方のソース記憶空間に亘って割り当てられているが、ソースディスク２Ｓの全体の容量を満たしてはいない映像記録６３を有することを前提としている。記録が実行されたとき、第１ソース記憶空間６１は特定の論理終了アドレスＭ（Ｍ＜Ｎｓ）に書き込まれ、その場合、第２ソース記憶空間６２への遷移が実行され、終了論理アドレスＭ＋Ｘを記録するまで、逆方向に、即ち、論理アドレスＭ＋１から前方に、書き込みが続けられる。便宜的に、記録６３が論理アドレス０において開始されることを前提とする。図５Ａに示しているように、データはセル３５において編成されている。論理アドレスＭから論理アドレスＭ＋１への遷移はセルの境界に対応している。第１ソース記憶空間６１（論理アドレスＭにおける終了）における最後のセルが基準数３５Ｐで表され、第２ソース記憶空間における最初のセル（論理アドレスＭ＋１からの開始）が基準数３５Ｑで表されている。
【００３８】
それ故、ソースデータ６３は、第１論理終了アドレスＭを有する第１ソースデータ部分６７と、第２論理開始アドレスＭ＋１及び第２論理終了アドレスＭ＋Ｘを有する第２ソースデータ部分とを有する。第１論理終了アドレスＭの物理位置は、第２論理開始アドレスＭ＋１の物理位置と実質的にアライメントされている。
【００３９】
物理アドレスＭを超える第１ソース記憶空間６１の部分（物理アドレスＭ＋１から物理アドレスＮｓまで）の残りは空である。第１残り記憶部分６４として表されるこの記憶空間部分は、Ｎｓ−Ｍ個のアドレスを含む。同じことが、第２記憶空間６２の開始と、記録６３の開始との間（即ち、物理アドレスＮｓ＋１から論理アドレスＭ＋１まで）にある第２記憶空間６２の部分に適用され、その部分は第２残り記憶部分６５と表される。第２残り記憶部分６５は、Ｎｓ＋（Ｎｓ−Ｍ）までの及びＮｓ＋（Ｎｓ−Ｍ）を含む物理アドレスＮ＋１を有し、論理アドレスＭ＋１は物理アドレスＮｓ＋（Ｎｓ−Ｍ）＋１に対応する。最終的に、論理アドレスＭ＋Ｘ（２Ｎｓ＋１まで及び２Ｎｓ＋１を含む物理アドレスＮｓ＋（Ｎｓ−Ｍ）＋Ｘ＋１を有する）論理アドレスＭ＋Ｘを超える第３残り記憶部分６６が存在する。
【００４０】
先ず、行われるべき論理事象は、ソースディスク２Ｓからターゲットディスク２Ｔに直接複写を行うことである。しかしながら、このことは、ターゲットディスク２Ｔはまた、ＤＶＤ−ＲＷディスクについては可能でない、残りの記憶部分は空であることを意味する。本発明は、下記で説明するように、幾つかの解決方法を提案している。
【００４１】
図５Ｂは、第１ターゲット記憶空間７１（又は、Ｌｔ０と表される）及び第２ターゲット記憶空間７２（又は、Ｌｔ１と表される）を有するターゲットディスク２Ｔの記憶空間７０（又は、ターゲット記憶空間と表される）を示す、図５Ａに相当する模式図である。第１ターゲット記憶空間７１はＮｔ＋１個の物理アドレス（０からＮｔまで）の容量を有し、第２ターゲット記憶空間７２はまた、Ｎｔ＋１個の物理アドレス（Ｎｔ＋１から２Ｎｔ＋１まで）の容量を有することを前提としている。更に、Ｎｔ≧Ｎｓが適用されることが更に前提であるが、これは重要でない。
【００４２】
図５Ｂは、本発明にしたがった記録方法の第１フェーズを示している。ホスト２０は、第１ソースデータ部分６７のセル全てを読み出し、論理アドレスＭに至るまでこれらのセルを記録するディスクドライブ１０にそれらのセルを送る。記録は物理アドレス０から開始し、ターゲットディスク２Ｔは欠陥記憶位置を有しないことを前提とすると、ターゲットディスク２Ｔの第１ターゲット記憶空間７１は、第１ターゲットデータ部分７７、即ち、物理アドレスＭまで延びている第１ソースデータ部分６７のコピーを有する。このアドレスを超える、即ち、物理アドレスＭ＋１から物理アドレスＮｔまでの第１ターゲット記憶空間の部分は、第１残り部分７４として表されている。
【００４３】
実際の記録は、０と異なる物理アドレスから開始することが可能であり、一部の欠陥記憶位置に遭遇する可能性があるが、ターゲットデータのアドレスの連続的再番号付けができることは、当業者には明らかであり、便宜上、ここでは詳細に説明しない。
【００４４】
ターゲットディスク２Ｔに映像データを書き込むとき、ソースディスク２Ｓにおける記録６３の映像データのセル構造は維持されることを更に特記しておく。それ故、個々のセルは同じ参照番号３５で表されている。
【００４５】
図５Ｃは、本発明にしたがった記録方法の第２フェーズを示す、図５Ｂに相当する模式図である。ホスト２０は、図５Ｃにおいてハッチングで示しているダミーデータ部分としてターゲットディスク２Ｔのこの第１残り部分７４を規定するディスクドライブ１０に情報を送る。例えば、物理アドレスＭにおいて映像データが書き込まれた後、ホストは、ディスクドライブ１０にダミーデータを送ることを継続し、そのディスクドライブは、物理アドレスＭ＋１から物理アドレスＮｔに第１ターゲット記憶空間７１にそれらのダミーデータを書き込み、それらのアドレスを何れかのダミーデータで満たす。
【００４６】
第１残り部分７４におけるダミーデータは何れかのデータ、例えば、ゼロデータであることが可能であることを特記しておく。
【００４７】
第１残り部分７４のアドレス全てにおいてダミーデータを書き込むことは、実際には必要ないことを更に特記しておく。ダミーデータが第１残り部分７４の第１セクタに書き込まれる場合、この第１セクタのＮＡＶＰＡＣＫは、第１残り部分７４の長さ（Ｎｔ−Ｍ）を有し、第１残り部分７４のアドレス（Ｎｔ）を有し、この映像セルがダミーデータ（ダミーコード）のみを有することを示すコードを有することは十分である。
【００４８】
ここで、ホスト２０は第１ターゲット記憶空間７１全体に書き込み、第２ターゲット記憶空間７２への遷移が実行され、ソースディスク２Ｓの第２ソースデータ部分６８はコピーされることが可能である。本発明は、３つの異なる変形を備え、それらの変形については、図６Ａ乃至Ｃを参照して説明する。
【００４９】
図６Ａに示す第１バージョンにおいては、記録６３の構造は維持される。図５Ｃを参照して上記したのと同様に、ホスト２０はディスクドライブ１０に情報を送り、図６Ａにおいてハッチングで示されているダミーデータ部分として第２ターゲット記憶空間７２の最初の部分を規定する。第２残り部分７５又は第２ダミーデータ部分７５としてまた、表されるこの部分は、物理アドレスＮｔ＋１から物理アドレスＮｔ＋Ａに至るまで広がり、Ｎｔ＋Ａを含み、ここで、Ａは第２ダミーデータ部分７５のサイズを規定する。
【００５０】
第２残り部分７５の物理終了アドレスＮｔ＋Ａは、第２残り部分７５の物理サイズ（ターゲットディスク２Ｔにおいて測定される径方向の寸法）は、第１残り部分７４の物理サイズに実質的に相当する。このために、ＡはＮｔ−Ｍに実質的に等しい。
【００５１】
第２ダミーデータ部分７５におけるダミーデータに関しても、第１残り部分７４におけるダミーデータに対して上記したものに、同じことが適用されることを特記しておく。
【００５２】
第１残り部分７４におけるダミーデータは１つの映像セルとして書き込まれることが可能であることを更に特記しておく。また、第２残り部分７５におけるダミーデータは１つの映像セルとして書き込まれることが可能である。しかしながら、それらの２つの残り部分７４及び７５は、ダミーデータのセル境界は論理記憶空間の外周に対応することは必要ないために、１つの結合された映像セルとして書き込まれることがまた、可能である。
【００５３】
第２残り部分７５を規定した後、ホスト２０は、ソースディスク２Ｓの第２ソースデータ部分６８のデータの読み出しを継続し、第２残り部分７５の後に利用可能である第１アドレスから開始する、即ち、物理アドレスＮｔ＋Ａ＋１から開始する第２ターゲット記憶空間７２にこのデータを書き込むディスクドライブ１０にこのデータを送る。本発明にしたがった記録処理のこのフェーズはまた、図６Ａに示されている。このフェーズが複雑になったとき、ターゲットディスク２Ｔの第２ターゲット記憶空間７２は、第２ターゲットデータ部分７８、即ち、物理アドレスＮｔ＋Ａ＋１から物理アドレスＮｔ＋Ａ＋Ｘまで広がっている第２ソースデータ部分６８の複写を有する。このアドレスを超える、即ち、物理アドレスＮｔ＋Ａ＋Ｘ＋１から物理アドレス２Ｎｔ＋１までの第２ターゲット記憶空間７２の部分は、第３残り部分７６として表される。
【００５４】
当業者が知っているであろうように、各々の映像セルは、その特定の映像セルの論理終了アドレスを指し示す情報を有する。ターゲットディスク２Ｔにおいては、それらの残り部分７４及び７５は空ではないということに照らして、論理アドレスは物理アドレスに対応する。それ故、ディスクドライブ１０にソースディスク２Ｓの第２ソースデータ部分６８の映像セルを送る前に、ホスト２０は、ＮＡＶＰＡＣＫＳにおいて情報を更新する。具体的には、アドレスｉを指し示す表示はアドレスｉ＋２（Ｎｔ＋Ｍ）に対する表示により置き換えられる。
【００５５】
記録手順が終了したとき、第１ターゲット記憶空間７１における終了セル３５Ｐが第２ターゲット記憶空間７２におけるセル３５Ｑの開始にアライメントされているという意味において、ターゲットディスク２Ｔは、ソースディスク２Ｓのソース記録６３と同じ構成を有するコピー記録７３を有する。コピー記録７３が再生されるとき、セル３５Ｐから次のセル３５Ｑへの遷移は、径方向のジャンプを伴うことなく、第１ターゲット記憶空間７１から第２ターゲット記憶空間７２への遷移を有し、それ故、継ぎ目のない再生が確実にされることができる。ターゲットディスク２Ｔとソースディスク２Ｓとの間の差は、上記のように、論理アドレスの値においてみられるようになっている。更に、空（から）の第１残り記憶部分６４及び空の第２残り記憶部分６５に代えて、ターゲットディスク２Ｔは、ダイア及び第２ターゲット記憶空間７１及び７２のそれぞれにおいて第１及び第２ダミーデータ記憶部分７４及び７５を有する。
【００５６】
図６Ｂは、本発明により提案される他の変形を示す、図６Ａに類似する図である。図６Ｂを図６Ａと比較するとき、基本的な違いは、ターゲットディスク２Ｔの第２ターゲット記憶空間の開始における第２ダミーデータ部分７５のサイズ、即ち、Ａの値においてみられるようになっている。図６Ａにおいては、第２ダミーデータ部分７５のサイズＡは、第２ターゲットデータ部分７８（論理アドレスＭ＋１＋２（Ｎｔ−Ｍ））の開始が第１ターゲットデータ部分７７（アドレスＭ）の終了と実質的にアライメントされるように選択される。図６Ｂに示す実施形態においては、第２ダミーデータ部分７５のサイズＡは、第２ターゲットデータ部分７８（論理アドレスＭ＋Ｘ＋（Ｎｔ−Ｍ）＋Ａ）の終了が第１ターゲットデータ部分７７（アドレス０）の開始と実質的にアライメントされるように選択される。この場合、少なくとも近似的に、Ａ＝Ｎｔ−Ｘ＋１であることが容易に理解できる。これは、第２ターゲットデータ部分７８は、論理アドレスＮｔ＋１＋（Ｎｔ−Ｘ＋１）から論理アドレスＮｔ＋Ｘ＋（Ｎｔ−Ｘ＋１）までの範囲内にあることを意味している。
【００５７】
図６Ａに示す実施形態の有利点は、記録７３を読み出すときに、システムは、第１記憶空間Ｌｔ０から第２記憶空間Ｌｔ１への遷移において高速応答を示すことが可能であることである。図６Ｂに示す実施形態の有利点は、記録７３を読み出すときに、システムはトリックプレイの改善を示すことが可能であることである。
【００５８】
図６Ｃは、本発明により提案している他の変形を示す、図６Ａに類似した図であり、記憶空間を用いて改善された効率の有利点を有する、図である。図６Ｃを図６Ａと比較するときの基本的な違いは、映像セル３５Ｑがターゲットディスク２Ｔの第２ターゲット記憶空間７２の開始時に位置付けられ、それ故、第２ターゲットデータ部分７８は論理アドレスＮｔ＋１乃至論理アドレスＮｔ＋Ｘの範囲内にあるということにおいてみられるようになっている。Ａの値は０に設定されている。
【００５９】
この方法の有利点は、第３残り部分７６のサイズは増加し、そのことは、有効な更なる記録について利用可能であることである。この場合、ターゲットディスク２Ｔは第２ダミーデータ部分７５を有しない。
【００６０】
本発明の更なる実施形態にしたがって、第１ターゲットデータ部分７７の下方の、第１ターゲット記憶空間７１の少なくとも一部において第２ソースデータ部分６８からのデータを記録することにより記憶空間を用いる効率を更に高めることが可能である。それ故、第１ターゲットデータ部分７７を書き込んだ後、ホスト２０は、ソースディスク２Ｓの第２ソースデータ部分６８のデータの読み出しを継続し、ディスクドライブ１０にこのデータを送り、そのディスクドライブは、セル３５Ｑがセル３５Ｐに隣接するように、第１ターゲットデータ部分７７の後に利用可能である第１アドレスから開始する、即ち、物理アドレスＭ＋１から開始する第１ターゲット記憶空間においてこのデータを書き込む。本発明にしたがった記録処理のこのフェーズについて、図７Ａに示している。このフェーズは、第２ソースデータ部分６８が第１ターゲット記憶空間７１においてそれ以上適合しないとき、特定の物理アドレスＭ＋Ｙまで続く。
【００６１】
このフェーズが終了したとき、ターゲットディスク２Ｔの第１ターゲット記憶空間７１は、第２ターゲットデータ部分８１，即ち、物理アドレスＭ＋１から物理アドレスＭ＋Ｙまで延びている第２ソースデータ部分６８の第１部分の複写を有する。このアドレスを超えた、即ち、物理アドレスＭ＋Ｙから物理アドレスＮｔまでの第１ターゲット記憶空間７１の部分は、第１残り部分８４と表される。
【００６２】
本発明の特徴にしたがって、ターゲットディスク２Ｔのこの第１残り部分８４は、図７Ｂにおいてハッチングで示されているダミーデータ部分として規定される。この第１残り部分８４について、図５Ｃを参照して説明している第１残り部分７４についてと同様なことを適用することができる。
【００６３】
ここで、ホスト２０は、第１ターゲット記憶空間７１を完全に書き込み、第２ターゲット記憶空間７２への遷移が実行され、ソースディスク２Ｓの第２ソースデータ部分６８の残り部分がコピーされる。本発明は３つの異なる変形を与え、それらは、図６Ａ乃至６Ｃを参照して説明される変形に相当し、それ故、その説明をここで詳しく繰り返さない。
【００６４】
図７Ｃに示し、図６Ａの変形に相当する第１の変形においては、第２ターゲット記憶空間７２の第１部分８５はダミー部分として規定され、その場合、第２ソースデータ部分６８の残り部分の記録が再開され、それ故、次のセル３５Ｒの開始は、第２ターゲットデータ部分８１の終了と実質的にアライメントされている。このフェーズが終了したとき、ターゲットディスク２Ｔの第２ターゲット記憶空間７２は、第３ターゲットデータ部分８２、即ち、物理アドレスＮｔ＋１＋（Ｎｔ−Ｍ−Ｙ）から物理アドレスＭ＋Ｘ＋２（Ｎｔ−Ｍ−Ｙ）まで延びている第２ソースデータ部分６８の第２部分の複写を有する。
【００６５】
図示していない、図６Ｂの変形に相当する第２変形においては、第２ターゲット記憶空間７２の第１ダミー部分８５のサイズは、第３ターゲットデータ部分８２の終了が第１データ部分７７の開始と実質的にアライメントされているように増加されている。
【００６６】
図示していない、図６Ｃの変形に相当する第３変形においては、第２ターゲット記憶空間７２の第１ダミー部分８５は削除され、第２ソースデータ部分６８の残り部分はターゲットディスク２Ｔの第２ターゲット記憶空間７２において第１物理アドレスＮｔ＋１から開始される。
【００６７】
本発明の更なる実施形態にしたがって、全体の第１ターゲット記憶空間７１を用いることにより記憶空間の使用における効率を更に高くすることが可能である。図８Ａは、第１ターゲット記憶空間７１における第２ターゲットデータ部分８１の記録が特定のセル３５Ｎの論理終了アドレスＭ＋Ｙまで継続する一方、次のセル３５Ｒは第１ターゲット記憶空間７１の残り部分８４に適合しないことを示す、図７Ａに相当する図である。ダミー部分としてこの残り部分８４を規定することに代えて、次のセル３５Ｒのデータは第１セル部分３５Ｒ１及び第２セル部分３５Ｒ２に分割され、それ故、第１セル部分３５Ｒ１は第１ターゲット記憶空間７１の残り部分８４に完全に適合する。
【００６８】
図８Ｂに示す実施形態においては、第１セル部分３５Ｒ１は、前記特定のセル３５Ｎを超えた、即ち、物理アドレスＭ＋Ｙ＋１から物理アドレスＮｔまでの第１ターゲット記憶空間において記録され、第２セル部分３５Ｒ２は、物理アドレスＮｔ＋１から開始する第２ターゲット記憶空間７２において記録される。
【００６９】
映像セルからデータを取り込み、新しいセルを規定するようにこのデータを記録する処理は、それ自体、当業者に知られている処理であり、それ故、ここで、この処理について詳細に説明する必要はないことを特記しておく。この実施形態においては、論理アドレスは物理アドレスに等しいことを特記しておく。この実施形態においては、第１セル部分３５Ｒ１の終了アドレスはＮｔに等しく、第１セル部分３５Ｒ１の長さはオリジナルのセル３５Ｒの長さより短く、それ故、セル長及びセルの終了アドレスに関する第１セル部分３５Ｒ１におけるＮＡＶＰＡＣＫ情報は適合される必要があることを、更に特記しておく。この実施形態においては、第２セル部分３５Ｒ２の終了アドレスは同じまま残るが、第２セル部分３５Ｒ２の長さはオリジナルのセル３５Ｒの長さより短く、それ故、セルの長さに関する第２セル部分３５Ｒ２におけるＮＡＶＰＡＣＫ情報は適合される必要がある。
【００７０】
セル３５Ｒを２つの新しいセルに分割する結果として、１つのセル境界が、第１ターゲット記憶空間７１から第２ターゲット記憶空間７２への遷移において付加される。このセル境界が付加されない場合、記録７３が再生されるときに、継ぎ目のない表示は確実ではない。
【００７１】
しかしながら、セル境界の全数を増加させることは好ましくない。図８Ｃは、前記特定のセル３５Ｎ及び第１セル部分３５Ｒ１のデータが単一の新しいセル３５ＲＸを規定するように結合される点で、図８Ｂに示す実施形態と異なる変形を示している。２つの映像セルからデータを取り出し、新しいセルを規定するようにこのデータを記録する処理は、それ自体、当業者に知られている処理であり、それ故、ここでは、この処理について詳細に説明する必要がないことを特記しておく。新しい、結合されたセル３５Ｘの終了アドレスはＮｔに等しく、新しい、結合されたセル３５Ｘは、典型的には、オリジナルのセル３５Ｎ及び３５Ｒ１の長さと異なり、それ故、セルの長さ及びセルの終了アドレスに関する新しい、結合されたセル３５ＸにおけるＮＡＶＰＡＣＫ情報は適合される必要がある。
【００７２】
図８Ｄは、次のセル３５Ｓの及び第２セル部分３５Ｒ２のデータが、単一の新しいセル３５ＲＹを規定するように結合されている点で、図８Ｂに示している実施形態と異なる変形を示している。新しい、結合されたセル３５Ｘはセル３５Ｓのオリジナルの終了アドレスに等しく、新しい、結合されたセル３５Ｘの長さは、典型的には、オリジナルのセル３５Ｎ及び３５Ｒ２の長さと異なり、それ故、セルの長さ及びセルの終了アドレスに関する新しい、結合されたセル３５ＹにおけるＮＡＶＰＡＣＫ情報は適合される必要がある。
【００７３】
図８Ｃ及び８Ｄの実施形態の組み合わせがまた、可能であり、それ故、両方の結合セル３５ＲＸ及び３５ＲＹは、セル境界の数が１つ、減少される。
【００７４】
図８Ｃ又は８Ｄの実施形態においては、新しい、結合されたセル３５ＲＸ又は３５ＲＹは、オリジナルのセル３５Ｎ又は３５Ｓのオリジナルの長さより長い長さを有する。セルの長さにおける増加を最小にする必要があると考えられる場合、ホストは、セル３５Ｒのどちらの半分３５Ｒ１又は３５Ｒ２が短いかに応じて、図８Ｃ又は８Ｄの実施形態の一を選択することが可能である。
【００７５】
図９Ａは、図６Ａを参照して説明する、本発明にしたがって実行されるデータ記憶システムにより実行される例示としてのコピー作製方法の段階を示すフロー図である。
【００７６】
記録６３についてのコピー指令を受け入れるとき、ホスト２０は、第１ターゲット記憶空間Ｌｔ０（段階１０１乃至１０４）に対して第１ソースデータ部分６７を先ず、コピーするようにデザインされている。ホストは、論理ソースアドレスｉから開始して、ソースディスク２Ｓの第１ソース記憶空間Ｌｓ０から映像セルの読み出しを開始し（段階１０１）、論理ターゲットアドレスｉから開始して、ターゲットディスク２Ｔの第１ターゲット記憶空間Ｌｔ０にこの映像セルを書き込む（段階１０２）。ホスト２０が、２つのディスクドライブ、即ち、ソースディスクを読み出すための１つのソースディスクドライブ及びターゲットディスクに書き込むための１つのターゲットディスクドライブに関連しているとき、ホストは、ソースディスクドライブから映像データを受け入れるとすぐに、ターゲットディスクドライブに書き込まれるべき映像データを送る。しかしながら、ホストは、全体の映像セルの映像データを受け入れ、バッファメモリにこの映像データを記憶し、全体の映像セルを受け入れた後にのみ、このバッファメモリからターゲットディスクドライブにデータを送ることがまた、可能である。ホストは１つのディスクドライブのみと関連付けられることがまた、可能であり、それ故、このディスクドライブは、先ず、全体のソースディスクを読み出すために用いられ、その後、そのソースドライブはターゲットディスクにより置き換えられ、そのディスクドライブはターゲットディスクを書き込むために用いられる。その場合、ホストは、先ず、そのハードディスクに全体の記録６３を記憶し、ターゲットディスクを書き込んだときに、そのハードディスクからの情報を用いることが可能である。
【００７７】
段階１０３において、ホストは、次のセルに進む、段階１０４において、ホストは、次のこのセルがソースディスクの第２ソース記憶空間Ｌｓ１に位置しているかどうかを調べる。それが否定的である場合、ホストは段階１０１に戻り、上記の処理を繰り返す。
【００７８】
ホストが、次のセルがソースディスク２Ｓの第２ソース記憶空間Ｌｓ１において位置していることを認識する場合、ホストは、第１ターゲット空間Ｌｔ０の残り部分７４のサイズＮｔ−Ｍを演算し、第１ターゲット記憶空間Ｌｔ１における最初のダミー部分７５についてのサイズＡを演算する（段階１１１）。この場合、このサイズＡは第１ターゲット記憶空間Ｌｔ０の残り部分７４のサイズＮｔ−Ｍに等しい。
【００７９】
次のフェーズにおいて、ホストは、この記憶空間部分７４に、即ち、物理アドレスＭ＋１から物理アドレスＮｔに，ダミーデータを書き込むことにより、ダミー部分として第１ターゲット記憶空間Ｌｔ０の残り部分７４を規定する（段階１２１）。
【００８０】
次のフェーズにおいて、ホストは、この記憶空間部分７５に、即ち、物理アドレスＮｔ＋１から物理アドレス２Ｎｔ−Ｍに、ダミーデータを書き込むことにより、ダミー部分として第２ターゲット記憶空間Ｌｔ１における最初のダミー部分７５を規定する（段階１２２）。
【００８１】
次のフェーズにおいて、コピー処理に進む。段階１３１において、ホストは、論理ソースアドレスｉから開始して、ソースディスクの第２ソース記憶空間Ｌｓ１から映像セルを読み出す。このセルを記録する前に、そのセルは記録される。段階１３２において、ホストは、現在の映像セルの論理終了アドレスを示すポインタ情報を読み出し、段階１３３において、ホストは、ＮＴ−Ｍ＋Ｍだけソースポインタを増加させることにより、ターゲットポインタＰＴとして示されるこのポインタについての新しい値を演算する。段階１３５において、ホストは、論理アドレスｉ＋ＮＴ−Ｍ＋Ａから開始して、ターゲットディスクの第２ターゲット記憶空間Ｌｔ１に置き換えられたターゲットポインタＰＴを現在の映像セルに書き込む。
【００８２】
続いて、ホストは、ソース記録６３の次の映像セルに進む（段階１３６）。記録の終了に、未だに到達していない（段階１３７）場合、ホストは段階１３１に戻り、上記処理を繰り返す。
【００８３】
図９Ｂは、図６Ｂを参照して説明されている、本発明にしたがって実行されるデータ記憶システムにより実行される例示としてのコピー方法２００の各段階を示すフロー図である。方法１００の各段階と同じ又は同等である段階を示す参照番号は、図９Ａにおける対応する参照番号と同じであるが、１００だけ加算されている。基本的には、方法２００と方法１００との間の違いは、結局、段階２１１の表現であって、ここでは、Ａは、Ａ＝ＮＴ−Ｘ＋１として演算される。
【００８４】
図９Ｃは、図６Ｃを参照して説明されている、本発明にしたがって実行されるデータ記憶システムにより実行される例示としてのコピー方法３００の各段階を示すフロー図である。方法１００の各段階と同じ又は同等である段階を示す参照番号は、図９Ａにおける対応する参照番号と同じであるが、２００だけ加算されている。基本的には、方法３００と方法１００との間の違いは、結局、段階３１１の表現であって、ここでは、Ａは、Ａ＝０として演算される一方、更に、第２ターゲット記憶空間Ｌｔ１における最初のダミー部分を規定する段階１２２は削除されている。
【００８５】
図９Ｄは、図７Ｃを参照して説明されている、本発明にしたがって実行されるデータ記憶システムにより実行される例示としてのコピー方法４００の各段階を示すフロー図である。方法１００の各段階と同じ又は同等である段階を示す参照番号は、図９Ａにおける対応する参照番号と同じであるが、３００だけ加算されている。基本的には、方法４００と方法１００との間の違いは、結局、段階４０５、４０６及び４１１の表現である。ソースセルが第２ソース記憶空間Ｌｔ１において位置しているか否か（段階１０４）ということはもはや、重要な役割を果たさない。第１複写フェーズにおいて、次のソースセルにアクセスする（段階４０３）とき、ホストは次の個のセルの長さを決定し（段階４０５）、次のこのセルが第１ターゲット論理空間Ｌｔ０の残りに適合するかどうかを調べる（段階４０６）。次のセルが適合する場合、ホストは段階４０１に戻り、コピー処理が続く。次のセルが適合しない場合、ホストは段階４１１に進み、ここで、Ａは、Ａ＝Ｎｔ−Ｍ−Ｙとして演算される。
【００８６】
図９Ｂの方法２００と同様に、第２論理空間Ｌｔ１における記録部分８２の終了が第１論理空間Ｌｔ０における記録部分７７の開始とアライメントされていることが好ましい場合、Ａの値は、それに応じて演算される。この適合化については、個別のフロー図に示していない。
【００８７】
図９Ｃの方法３００と同様に、第２論理空間Ｌｔ１における記録部分８２の開始が第２論理空間Ｌｔ１（図７Ｄを参照されたい）の開始とアライメントされていることが好ましい場合、Ａの値は０に設定され、第２ターゲット記憶空間Ｌｔ１における最初のダミー部分を規定する段階４２２は削除されている。この適合化については、個別のフロー図に示していない。
【００８８】
図９Ｅは、図８Ｂを参照して説明されている、本発明にしたがって実行されるデータ記憶システムにより実行される例示としてのコピー方法５００の各段階を示すフロー図である。方法４００の各段階と同じ又は同等である段階を示す参照番号は、図９Ｄにおける対応する参照番号と同じであるが、１００だけ加算されている。基本的には、方法４００と方法５００との間の違いは、結局、段階５４１乃至５４５の表現であり、ここでは、次のセル３５Ｒは、２つのセル部分Ｌｔ０及びＬｔ１のそれぞれに分割され且つ記録される。段階５４１においては、ホストは、第１ターゲット記憶空間Ｌｔ０の残り部分８４のサイズＮｔ−Ｍ−Ｙを演算する。段階５４２においては、ホストは、演算されたサイズＮｔ−Ｍ−Ｙに対応するデータ量を有する、次のセル３５Ｒの第１部分３５Ｒ１をとり、この第１セル部分３５Ｒ１をセルとして規定する。段階５４３においては、ホストは、次のセル３５Ｒの残り部分３５Ｒ２をとり、この第２セル部分３５Ｒ２をセルとして規定する。段階５４３においては、ホストは、ディスクドライブ１０に第１セル部分３５Ｒ１のデータを送り、そのディスクドライブは、第１ターゲット記憶空間Ｌｔ０の残り部分８４にこのセルを記憶する。段階５４４においては、ホストは、ディスクドライブ１０に第２セル部分３５Ｒ２のデータを送り、そのディスクドライブは、第２ターゲット記憶空間Ｌｔ１の開始にこのセルを記憶する。段階５４３及び５４４の順序は、逆が可能であることを特記しておく。
【００８９】
その場合、ホストは、ソース記録６３から残りのセルにより継続する（段階５３１乃至５３７）。それらのセルにおけるアドレスポインタ情報は変わる必要はなく、それ故、段階４３２乃至４３４は削除されていることを特記しておく。
【００９０】
図８Ｃを参照するに、第１セル部分３５Ｒ１が前のセル３５Ｎにより継続されることが好ましい場合、段階５４２は、演算されたサイズＮｔ−Ｍ−Ｙに対応するデータ量を含む次のセル３５Ｒの第１部分３５Ｒ１をとる段階と、前のセル３５Ｎからデータを取り出す段階と、第１結合セル３５ＲＸを規定するようにそれらのデータを結合する段階と、により置き換えられ、段階５４４は、ディスクドライブ１０に第１結合セル３５ＲＸのデータを送るにより置き換えられ、この適合化については、個別のフロー図に示していない。
【００９１】
それらの段階を容易にするように、ホストは、前のセル３５Ｎが次のセルの一部との可能な結合のために記憶されるバッファメモリ２３を有することが可能であることを特記しておく。
【００９２】
図８Ｄを参照するに、第２セル部分３５Ｒ２が次のセル３５Ｓと結合することが好ましい場合、段階５４３は、次のセル３５Ｒの第２セル部分３５Ｒ２をとる段階と、次のセル３５Ｓを読み込む段階と、第２結合セル３５ＲＹを規定するようにそれらのデータを結合する段階とにより置き換えられ、段階５４５は、ディスクドライブ１０に第２結合セル３５ＲＹのデータを送る段階により置き換えられ、この適合化については、個別のフロー図に示していない。
【００９３】
上記においては、ソースデータは、多層の光ディスクの形成においてソース媒体において利用可能であることを前提としているが、ソースデータの一部は第１層に位置付けられ、ソースデータの一部は次の層に位置付けられていることを前提としている。本発明は、しかしながらまた、２つの（又はそれ以上の）記憶空間において分割されることなく、１つの連続的な記憶空間において利用可能である。そのような状態に例は、例えば、ソースデータがＤＶＤ−ＲＷディスクの記憶容量より大きい容量を有する記憶媒体に位置付けられている場合であり、そのようなソース媒体の例はハードディスクである。
【００９４】
そのような状態の他の例は、例えば、ソースデータが単一の層の光ディスクに位置付けられている場合であり、ターゲット二層ディスクの第１記憶空間Ｌｔ０の第１部分は既に用いられていて、それ故、コピー処理は、第１記憶空間Ｌｔ０において第１アドレスからのコピーデータの記録を開始することはできない。
【００９５】
それらの例の全てにおいては、第１記憶空間Ｌｔ０における利用可能な記憶空間は全体のコピー記録を記録するためには十分でなく、それ故、第１ターゲット記憶空間Ｌｔ０から第２ターゲット記憶空間への遷移が行われる必要がある。何れの場合も、ホストは、第１ターゲット記憶空間Ｌｔ０の残り部分のサイズに関する、及びコピーされるセルのサイズに関する利用可能な情報をいつでも有する。それ故、それらの場合の全てにおいて、ホストは、アドレスＭにおける第１ソース記憶空間Ｌｓ０から第２ソース記憶空間Ｌｓ１への遷移はもはや、存在しないために例外として、図７Ａ乃至Ｄ及び８Ａ乃至Ｄを参照して説明している方法を実行することができる。
【００９６】
上記例は、第１記憶空間Ｌ０から第２記憶空間Ｌ１への遷移に関連していることを特記しておく。同様な考慮は、ディスクが３つ又はそれ以上の記憶層を有するときに役割を果たし、第２記憶空間Ｌ１から第３記憶空間Ｌ２への遷移、又は第３記憶空間Ｌ２から第４記憶空間Ｌ３への遷移等の遷移が行われる。
【００９７】
本発明は上記の例示としての実施形態に限定されるものではないが、同時提出の特許請求の範囲に記載している本発明の保護範囲から逸脱することなく複数の変形及び修正が可能であることは、当業者には明らかであるに違いない。
【００９８】
上記において、本発明について、本発明にしたがった装置の機能ブロックを示すブロック図を参照して説明している。それらの機能ブロックの１つ又はそれ以上は、それらの機能ブロックの機能が別個のハードウェア構成要素により実行されるハードウェアにおいて実行されることが可能であるがまた、１つ又はそれ以上の機能ブロックはソフトウェアにおいて実行することが可能であり、それ故、そのような機能ブロックの機能は、マイクロプロセッサ、マイクロコントローラ、ディジタル信号プロセッサ等のようなプログラム可能装置又はコンピュータプログラムの１つ又はそれ以上のプログラムラインにより実行される。
【図面の簡単な説明】
【００９９】
【図１】データ記憶システムを模式的に示すブロック図である。
【図２】二層光ディスクの模式的断面図である。
【図３】ＯＴＰの場合における記憶媒体の二トラック記憶空間を模式的に示す図である。
【図４】従来技術の記録処理を模式的に示す図である。
【図５Ａ】ソースディスクへの記録を模式的に示すブロック図である。
【図５Ｂ】本発明にしたがった記録処理における段階を示す模式図である。
【図５Ｃ】本発明にしたがった記録処理における段階を示す模式図である。
【図６Ａ】本発明にしたがった記録処理における段階を示す模式図である。
【図６Ｂ】本発明にしたがった記録処理における段階を示す模式図である。
【図６Ｃ】本発明にしたがった記録処理における段階を示す模式図である。
【図７Ａ】本発明にしたがった記録処理における段階を示す模式図である。
【図７Ｂ】本発明にしたがった記録処理における段階を示す模式図である。
【図７Ｃ】本発明にしたがった記録処理における段階を示す模式図である。
【図７Ｄ】本発明にしたがった記録処理における段階を示す模式図である。
【図８Ａ】本発明にしたがった記録処理における段階を示す模式図である。
【図８Ｂ】本発明にしたがった記録処理における段階を示す模式図である。
【図８Ｃ】本発明にしたがった記録処理における段階を示す模式図である。
【図８Ｄ】本発明にしたがった記録処理における段階を示す模式図である。
【図９Ａ】本発明にしたがった記録処理の例示としての実施例を模式的に示すフロー図である。
【図９Ｂ】本発明にしたがった記録処理の例示としての実施例を模式的に示すフロー図である。
【図９Ｃ】本発明にしたがった記録処理の例示としての実施例を模式的に示すフロー図である。
【図９Ｄ】本発明にしたがった記録処理の例示としての実施例を模式的に示すフロー図である。
【図９Ｅ】本発明にしたがった記録処理の例示としての実施例を模式的に示すフロー図である。
【図１】
2008542971.tif 000003
【図２】
2008542971.tif 000004
【図３】
2008542971.tif 000005
【図４】
2008542971.tif 000006
【図５Ａ】
2008542971.tif 000007
【図５Ｂ】
2008542971.tif 000008
【図５Ｃ】
2008542971.tif 000009
【図６Ａ】
2008542971.tif 000010
【図６Ｂ】
2008542971.tif 000011
【図６Ｃ】
2008542971.tif 000012
【図７Ａ】
2008542971.tif 000013
【図７Ｂ】
2008542971.tif 000014
【図７Ｃ】
2008542971.tif 000015
【図７Ｄ】
2008542971.tif 000016
【図８Ａ】
2008542971.tif 000017
【図８Ｂ】
2008542971.tif 000018
【図８Ｃ】
2008542971.tif 000019
【図８Ｄ】
2008542971.tif 000020
【図９Ａ】
2008542971.tif 000021
【図９Ｂ】
2008542971.tif 000022
【図９Ｃ】
2008542971.tif 000023
【図９Ｄ】
2008542971.tif 000024
【図９Ｅ】
2008542971.tif 000025
【国際調査報告】
2008542971.tif 000026
2008542971.tif 000027